(57)【要約】【課題】被検査物がコーナー部を有していても、該コーナー部の紫外線強度も一定範囲に保たれるように照射する紫外線探傷灯を提供する。【解決手段】紫外線探傷灯１は、斜光源Ｂと、垂直光源Ａを有し、垂直光源Ａは真下に紫外線光を照射し、斜光源Ｂの光軸である軸線Ｚ１とのなす角Ｙは、５度から４０度であり、斜光源Ｂはその結果斜めを照射する。【選択図】図１
2020106434.tif 000002
【特許請求の範囲】
【請求項１】
少なくともコーナー部、平面部を有する被検査物を照射するための、灯具と、該灯具に収納される紫外線光を照射する光源とを備えた紫外線探傷灯において、少なくとも斜光源と垂直光源を有し、前記斜光源と前記垂直光源はそれぞれ斜光源用レンズと垂直光源用レンズを備え、前記斜光源と前記斜光源用レンズ、及び前記垂直光源と前記垂直光源用レンズは、それぞれ軸線を有し、
前記斜光源と前記斜光源用レンズが有する前記軸線は、前記垂直光源と前記垂直光源用レンズの有する前記軸線に対し、紫外線光の照射方向側において、前記垂直光源と前記垂直光源用レンズの有する前記軸線と近接し、又は、交わるように、５度〜４０度の傾きを有し、前記垂直光源と前記垂直光源用レンズの前記軸線は、前記被検査物の前記平面部に対しほぼ垂直方向であることを特徴とする、紫外線探傷灯。
【請求項２】
前記斜光源はＬＥＤ光源であり、該斜光源からの光を集光手段で集光した後に、前記斜光源用レンズを用いて照射範囲を変換することを特徴とする、請求項１に記載の紫外線探傷灯。
【請求項３】
前記斜光源と前記垂直光源とは別々に調光をすることができる調光手段を有する、請求項１又は２に記載の紫外線探傷灯。
【発明の詳細な説明】
【技術分野】
【０００１】
本発明は、探傷用灯具に関し、より詳細には、浸透液を用いた浸透探傷試験や磁粉を用いて探傷を行う磁粉探傷試験における紫外線探傷灯に関する。
【背景技術】
【０００２】
例えば磁粉探傷試験は、ビレット等の鋼材や自動車部品等の被検査物の表面の探傷検査に適用され、ＪＩＳ−Ｚ−２３２０に規格化されている。磁粉探傷試験では、被検査物の表面に磁粉を含有する磁粉溶液、すなわち磁粉液を適用するとともに、被検査物に磁場を印加する等して被検査物を磁化する。磁化された被検査物の表面にクラック等のきずがある場合には、このきずから磁束が漏洩するため、この漏洩磁束による磁粉指示模様が形成される。そして、この磁粉指示模様を観測することで欠陥を検査する。磁粉探傷試験には、きずの検出精度を向上させるために、蛍光体を含有した蛍光磁粉を用いる蛍光磁粉探傷試験も知られている。
【０００３】
磁粉探傷試験においてこの磁粉指示模様を観測するために、紫外線ないし通常の探傷用灯具が用いられる。しかしながら被検査物の形状が、平面部とコーナー部を有する角ビレットの場合、コーナー部の紫外線照射については、従来紫外線探傷灯を傾けることで、角ビレットの平面部とコーナー部を両方同時に照射するなどの方法で紫外線による磁粉探傷試験が行われていた。紫外線探傷灯を傾けて使用しない場合にはコーナー部の紫外線強度が平面部の紫外線強度と比較して低くなり、コーナー部の傷を見逃しやすいという問題が発生していた。また、照明器具の分野では様々な提案がなされているところである。
【０００４】
特許文献１には、複数のＬＥＤを搭載する基板のＬＥＤ搭載装備面を多面状もしくは曲面状としてあることとし、前記した基板は光の照射方向に対し、凸状としてあることとし、前記した基板は光の照射方向に対し、凹状としてあることとし、前記した基板を多面状とした場合、中央に少なくとも四つ以上のコーナーを有する平面部を有し、その平面部の各コーナーを結ぶ直線を一縁とする複数のテーパ面を有していることとする照明器具が開示されている。
【０００５】
特許文献２には、被探傷体を照明すべき最小照明領域の大きさよりも狭い領域に、射出光の光軸を一方向に揃えて複数の紫外線発光ダイオードを環状に配置し、これらの紫外線発光ダイオードからそれぞれ射出される紫外線光の各光軸上に各紫外線発光ダイオードから射出された紫外線光を各別に集光して前記被探傷体に照射する複数の集光レンズを設け、これらの集光レンズを一体に支持したレンズ支持体を該紫外線光の光軸方向に進退させて、前記被探傷体に照射する紫外線光の照射領域の大きさを可変する紫外線探傷灯が開示されている。
【先行技術文献】
【特許文献】
【０００６】
【特許文献１】特開２０１０−２８２７７７号公報
【特許文献２】特開２０１１−２１５０７７号公報
【発明の概要】
【発明が解決しようとする課題】
【０００７】
特許文献１には、ＬＥＤ光源を凸状に形成した多面状の面の各々に配置することにより、角度をつけて照射がなされ、その結果光の照射範囲が広くなり広開光角を得ることができる技術が開示されている。
【０００８】
特許文献２には、複数の紫外線発光ダイオードを環状に配置し、そのそれぞれに対応した集光レンズを配置し、それぞれの集光レンズから出る光の照射範囲が重なることで合成されて、紫外線光の強度を簡易に高めることができる技術が開示されている。
【０００９】
しかしながら、特許文献１の照明器具は光源自体が縦及び斜めに照射するLEDで構成されていることから、平面及びコーナー部を有する物を検査するために照射する場合に、角ビレットのような細長い被検査物に対しては、照射範囲を拡大するだけでなく適切な範囲で照射することが求められるところ、この点についていえば、特許文献１の照明器具は、単に広く照射する目的であることから、余分な箇所を照らしてしまうことになりかねず、エネルギーに無駄が生じてしまう。
これは、特許文献２の技術においても同じである。特許文献２では、紫外線光同士を合成して紫外線光の強度を高めることに主眼が置かれている。このため、多数のビレット等の被検査物を検査するための紫外線探傷灯の分野においては、好ましい技術とは言えない。当該分野では、紫外線の強度を一定にして、検出しなければいけない一定のサイズ以上のきずのみを検出しなければならず、特許文献２のように紫外線強度を確保するだけでなく、その強度を一定に保つ必要があるからである。つまり、照射範囲に強すぎる部分と弱すぎる部分があることは望ましくない。
【００１０】
そこで本発明の目的は、被検査物への紫外線光の照射につき、被検査物が角ビレット等のコーナー部を有するものであっても、紫外線光の強度を一定に保つことのできる紫外線探傷灯を提供することにある。
【課題を解決するための手段】
【００１１】
上記課題を解決するために、本発明は、少なくともコーナー部、平面部を有する被検査物を照射するための、灯具と、該灯具に収納される紫外線光を照射する光源とを備えた紫外線探傷灯において、少なくとも斜光源と垂直光源を有し、前記斜光源と前記垂直光源はそれぞれ斜光源用レンズと垂直光源用レンズを備え、前記斜光源と前記斜光源用レンズ、及び前記垂直光源と前記垂直光源用レンズは、それぞれ軸線を有し、
前記斜光源と前記斜光源用レンズが有する前記軸線は、前記垂直光源と前記垂直光源用レンズの有する前記軸線に対し、紫外線光の照射方向側において、前記垂直光源と前記垂直光源用レンズの有する前記軸線と近接し、又は、交わるように、５度〜４０度の傾きを有し、前記垂直光源と前記垂直光源用レンズの前記軸線は、前記被検査物の前記平面部に対しほぼ垂直方向であることを特徴とする。
【００１２】
更に、前記斜光源はＬＥＤ光源であり、該斜光源からの光を集光手段で集光した後に、前記斜光源用レンズを用いて照射範囲を変換できることを特徴とする。
【００１３】
更に、前記斜光源と前記垂直光源とは別々に調光をすることができる調光手段を有することを特徴とする。
【発明の効果】
【００１４】
本発明によれば、少なくともコーナー部、平面部を有する被検査物を照射するための、灯具と、該灯具に収納される紫外線光を照射する光源とを備えた紫外線探傷灯において、少なくとも斜光源と垂直光源を有し、前記斜光源と前記垂直光源はそれぞれ斜光源用レンズと垂直光源用レンズを備え、前記斜光源と前記斜光源用レンズ、及び前記垂直光源と前記垂直光源用レンズは、それぞれ軸線を有し、
前記斜光源と前記斜光源用レンズが有する前記軸線は、前記垂直光源と前記垂直光源用レンズの有する前記軸線に対し、紫外線光の照射方向側において、前記垂直光源と前記垂直光源用レンズの有する前記軸線と近接し、又は、交わるように、５度〜４０度の傾きを有し、前記垂直光源と前記垂直光源用レンズの前記軸線は、前記被検査物の前記平面部に対しほぼ垂直方向であることを特徴とするので、平面部とコーナー部を有する被検査物に対する紫外線光の照射による探傷試験において、垂直光源と斜光源の光が合成されるので被検査物の平面部の強度が一定に保たれ、また斜光源はコーナー部へ向けて５度から４０度の傾きを持って照射されているので、被検査物における平面部だけでなくコーナー部のＵＶ強度も一定範囲に保たれる紫外線探傷灯を提供することができる。
【００１５】
また、本発明によれば、前記斜光源はＬＥＤ光源であり、該斜光源からの光を集光手段で集光した後に、前記斜光源用レンズを用いて照射範囲を変換することを特徴とするので、一般にＬＥＤ光源の指向角が６０度と広すぎるため、凸レンズや反射鏡などの集光手段で集光した後で、配光変換レンズや一方向への集光レンズを用いて適切な照射範囲とすることで、紫外線強度を強くしつつ、適切な配光が得られる紫外線探傷灯を提供することができる。
【００１６】
更に、前記斜光源と前記垂直光源とは別々に調光をすることができる調光手段を有するので、例えばコーナー部の角度が急な場合など斜光源のみの配光を強くする必要がある場合でも、これに適切に対応可能な紫外線探傷灯を提供することができる。
【図面の簡単な説明】
【００１７】
【図１】本実施形態に係る紫外線探傷灯の正面から見た一部透視正面図である。
【図２】図１の紫外線探傷灯の斜め下方から見た一部透視斜視図である。
【図３】図１の紫外線探傷灯と被検査物との位置関係を示した図である。
【図４】図３の位置関係図を斜めから見た斜視図である。
【図５】図１の紫外線探傷灯により被検査物を照射した際の紫外線強度のグラフである。
【図６】本発明の紫外線探傷灯の実施例及び比較例及び被検査物との位置関係を示した図である。
【図７】本発明の紫外線探傷灯に備えられた実施形態の一例を用いた図であり、光源からレンズを通る光線を示した概略図である。
【図８】図７の紫外線探傷灯の配光を示した図である。
【図９】図６の紫外線探傷灯を斜視図で示したものである。
【発明を実施するための形態】
【００１８】
以下、図面を参照しつつ、本発明の実施形態を詳細に説明する。図１は、実施形態に係る紫外線探傷灯の光源の傾きを示した図である。図２は図１の紫外線探傷灯を斜め下方から見た斜視図である。図３は、図１及び図２に示した紫外線探傷灯が被検査物を照射する際の設置位置を示した位置関係図であり、図４はその斜視図である。なお図３においては検査台２２及び立ち位置２３は省略してある。図５は、図1及び図２に示した本発明の特徴を有する紫外線探傷灯を、図３の位置関係図のように配置した場合の紫外線強度をグラフにした図である。図６は、本発明の特徴を有する実施例と、一部異なる比較例とを示した図である。図７は本発明の紫外線探傷灯の光源からレンズを通した光線の概略説明図であり、図８は図７の紫外線光の照射範囲をそれぞれ示したものである。なお、以下では、説明の便宜上、図１、３及び６おいて、紫外線探傷灯からみて上側を上、反対側（光源が照射される側）を下、図でみて手前側のほうを手前、奥側の方を奥とする。
【００１９】
図１では、本発明の紫外線探傷灯１が示されている。紫外線探傷灯１は、紫外線探傷灯灯具２の中に、紫外線光を照射することのできる光源を収納した灯具収納ユニットが２つ並んで設けられている。この左側の一方は斜めに下方を照らしている斜光源を収納している斜光源収納ユニット１２であり、右側の一方は、垂直に下方を照らす垂直光源を収納している垂直光源収納ユニット１１である。本発明の図示せぬ斜光源Ｂ及び垂直光源ＡはＬＥＤ光源を用いることができるがこれに限定するものではない。また垂直光源収納ユニット１１が照射する光の中心軸の線は軸線Ｚ２であるが、この軸線Ｚ２は後述する被検査物２１の垂直方向に垂下する線であり、被検査物の平面に対して垂直方向（通常であれば鉛直方向）に垂下する線である垂線Ｈと重なるものである。つまり、垂直光源収納ユニット１１に収納された垂直光源Ａは、平面部３３が水平である場合、真下を照らしている。これに対し、斜光源収納ユニット１２に収納されている斜光源Ｂは、斜め内側方向を照らしている。つまり、前記の垂線Ｈと、斜光源Ｂから放たれる光の中心軸の線である軸線Ｚ１は、手前側から見た場合に角Ｙをなしている。角Ｙの角度は、５度〜４０度が好ましい。５度以上でないと、被検査物２１のコーナー部３４を照らす際にコーナー部３４の形状によっては、紫外線光の影となってしまう部分ができ、肉眼では紫外線光が確認できない以上、きずを見落とす危険性が大きい。５度以上であれば、被検査物２１のコーナー部３４の形状の差異にも対応できる点で好ましい。また角Ｙが４０度を超えると、後述するように、灯具を作業の邪魔になる程度にまで大きく設計しなければならない。５度以上４０度以下であれば、適切な紫外線光を照射し、かつ設計上も作業の邪魔にならない紫外線探傷灯を得ることができる。なお、本開示において、軸線とは、照射される紫外線光の中心を貫く直線であり、光源とレンズを通した光線群において、その中心を貫く線である。また、図示はしていないが、軸線Ｚ１は、手前側から見た場合、軸線Ｚ２と、角Ｙと同じ角度をなしている。
【００２０】
図２は、本発明の紫外線探傷灯１を左斜め下方から見た一部透視である斜視図である。斜光源収納ユニット１２及び垂直光源収納ユニット１１が３セット並んで灯具２の中に設置されているが、３セット並んでいることに限定されるものではなく、２セットでも１セットでもよい。１セット、つまり一対の斜光源収納ユニット１２及び垂直光源収納ユニット１１のみが設置されている場合、本発明の紫外線探傷灯１を小さく作ることができ、コーナー部３４が複数ある角ビレットに対し、灯具自体を動かしやすい、小回りがきく利点がある。
【００２１】
次に図３は、斜光源収納ユニット１２と垂直光源収納ユニット１１と、被検査物２１の位置関係図である。被検査物２１は角ビレットが図示されているがこれのみには限定されず、コーナー部３４と平面部３３を有する被検査物であれば好適に本発明を用いることができる。
また、平面部３３が傾きを有する場合であっても、本開示の軸線Ｚ２はその平面部３３の平面に対し垂直方向の位置関係であり、この位置関係で平面部３３が垂直光源Ａにより照らされることとすると、好適である。平面部３３が傾きを有する場合であっても、このような位置関係で紫外線を照射すれば、平面部３３及びコーナー部３４の紫外線強度を一定範囲に保つことができる。つまり紫外線探傷灯１は、平面部３３が傾きを有する場合、斜めに設置することとなる。
斜光源Ｂを収納している斜光源収納ユニット１２は、前述したように、平面部３３が水平である場合の垂直方向に垂下する線Ｈと、図３で手前方向から見た場合、角Ｙをなしている。角Ｙは５度〜４０度であることが好ましい。その理由として、前述したところに付け加えて、照射範囲Ｗが存在することになることもあげられる。照射範囲Ｗは、斜光源収納ユニットに収納されて図示しない斜光源Ｂと、垂直光源収納ユニットに収納されて図示しない垂直光源Ａからの紫外線光の照射範囲が、重なる部分である。照射範囲Ｗがあることで、斜光源Ｂの光の減衰した部分と垂直光源Ａの光の減衰した部分が補いあい、紫外線光が合成されて、被検査物２１の表面において、一定の強度を得ることができる。その紫外線強度をグラフにしたのが図５である。なお、図3におけるＲは紫外線探傷灯１と被検査物２１の距離を示したものであり、６００ミリメートルから８００ミリメートルが好ましいが、本発明の紫外線探傷灯においては、４００ミリメートルから１０００ミリメートルの範囲でも好適に用いることができる。また斜光源Ｂと垂直光源Ａの水平距離Ｘは、１００ミリメートルから４００ミリメートルの範囲であることが本発明の効果を得るのに好適であり、斜光源Ｂ及び斜光源レンズの光の中央を通る光軸である斜光源軸線Ｚ１が、被検査物２１のコーナー部を通るように適宜設計される。
【００２２】
図４は、図３の紫外線探傷灯１と被検査物２１等の位置関係を斜め上方から見た図である。検査台２２の上に載置された被検査物２１が、本発明の紫外線探傷灯１により紫外線光を照射されている様子が示されている。この際に、作業者は、立ち位置の一例として、立ち位置２３に立つ場合がある。立ち位置２３に立った場合に、図６の説明で後述するように紫外線探傷灯１が立ち位置２３側にせり出してくると、作業者の視界を遮る形で紫外線探傷灯１が設置されることになり、好ましくない。紫外線探傷灯１は、作業者の邪魔にならない位置に設置されるような構成であることが好ましい。
【００２３】
図５は、紫外線探傷灯１を図３の位置関係で被検査物２１に照射した場合の、被検査物表面上に薄い板を置いて紫外線強度を可視化したイメージのグラフである。図５の上方であるほど紫外線強度が強いことが示されている。線Ｓはコーナー部を照射する斜光源Ｂの紫外線強度が示されている。線Ｔは平面部を照射する垂直光源Ｂの紫外線強度がグラフ化されている。線Ｔと線Ｓの高さが異なるのは、線Ｔに対応する垂直光源Ｂは、配光変換レンズ、リニアフレネルレンズ等を備えており、被検査物２１の平面部に対応した形の配光をしていることから、レンズを通して広い範囲を照射することになる結果、紫外線強度が低くなっているものである。これに対し、線Ｓは、斜光源Ｓを垂直光源と同様に、図３において角Ｙが０度であるように光を真下に照射した場合を、仮に表示している。斜光源Ｂがリニアフレネルレンズ、シリンドリカルレンズ、凸レンズ等を使用して被検査物２１のコーナー部３４にあわせた線状に、狭い範囲を照射することとなっていることから、照射範囲が狭い結果、紫外線強度は強くなっている。しかし、線Ｓ´においては、斜光源を図３における角Ｙが５度〜４０度の場合を表示している。この場合であると、紫外線光は斜めから照射される分、被検査物２１表面では紫外線強度が弱くなることと、コーナー部は平面部より角度が付いているため更に紫外線強度が低下することになる。それゆえ、線S´においては、紫外線強度が線Ｔと同じ高さにまで落ちている。また線Ｓ´と線Ｔの強度が重なっている照射部分Ｗにおいては、強度が合成され、線Ｕの強度が得られている。つまり、斜光源Ｂに対応する線Ｓ´と、垂直光源Ａに対応する線Ｔが合成されて線Ｕとなり、強度が一定範囲となることとなっているのである。
【００２４】
図６は、図３の実施形態における角Ｙが４０度の場合をＹ１、４５度の場合をＹ２として、本発明に係る他の実施形態の一例と、比較例とを表示したものである。図６を概観した斜視図は図９にて示している。コーナー部３４を照射するために、斜光源Ｂの光軸である軸線Ｚ１は、コーナー部３４の略中央を貫く線であることが必要となる。この際に、Ｙ１の場合とＹ２の場合で、斜光源収納ユニット１１２と、斜光源収納ユニット１１３の位置はおのずから異なることとなる。紫外線探傷灯２０１に収納された斜光源収納ユニット１１３の場合、前述したように、図４の紫外線探傷灯１が、作業者の立ち位置２３側にせり出してくることとなる。紫外線探傷は、可視光を消した暗室で行う。そのため、作業者は、灯具が見えず意図せずに紫外線光を遮る形で被検査物２１に対し目視検査を行ったりする危険があり、きずの見落としにつながる危険がある。また、紫外線探傷灯１が作業者の視界を遮る形で設置され、紫外線探傷灯１が検査の邪魔になるということがある。
これに対し紫外線探傷灯１０１に収納された、斜光源収納ユニット１１２の場合、灯具は図３において、立ち位置２３側にせり出す長さが少なくすむ。これにより、作業者が傷を見落とす危険性が減り、作業がしやすくなることとなる。
【００２５】
図７は、本発明の紫外線探傷灯１の垂直光源収納ユニット１１及び斜光源収納ユニット１２の中の垂直光源Ａ及び斜光源Ｂと、それぞれに備えられたレンズ、及び光源から放たれそのレンズを通る紫外線の光線を示した概略図である。
紫外線光は、垂直光源Ａから放たれ、レンズ３２を通り、平面照射範囲４２を照射する。平面照射範囲４２は、図8に示すように、正方形状である。ただ、正方形状はあくまで一例であり、長方形状など、被検査物２１の形状により最適化された形状のものを適宜使用できる。またこのレンズ３２は本実施形態においては配光変換レンズが用いられているが、これに限定されるものではなく、同じ配光を得られる適宜のレンズでもよい。
また、斜光源Ｂから放たれる紫外線光は、図７に示されているように、レンズ３１を通り、コーナー部照射範囲４１を照射する。これは図８に示されるように、細長い狭い範囲を照射するものである。コーナー部照射範囲４１を狭く照射することで、強度があがり、斜光源Ｂが斜めから照射する場合の強度の低下をカバーし、平面照射範囲４２と均一の強度を保つことができる。
ただし、配光変換レンズをレンズ３２に用い、シリンドリカルレンズをレンズ３１に用いることで被検査物２１が角ビレット等の場合、コーナー部３４と平面部３３を、同時に照らすことができ、また紫外線強度が合成されるように配置されれば、被照射面であるコーナー部３４と平面部３３の両方の紫外線強度を一定範囲内に保つことができ、好適である。
また、これらの垂直光源Ａ及び斜光源Ｂは、レンズ３２及び３１との間にいったん集光手段を設けて、そのあとレンズ３２及び３１に光線を通す構成としてもよい。ＬＥＤ光源の場合指向角が６０度と広いことがあり、この場合集光手段を用いることで、紫外線強度を確保したうえで、レンズ３２及び３１を通し所望の配光を得ることができるとしてもよい。図示しない集光手段には、凸レンズや反射板があげられる。また、斜光源Ｂと垂直光源Ａは、適宜別々に公知の手段で強度を別々に調節できるように、別々に調光できることとすると、被検査物２１の形状に応じた強度を確保でき、好適である。
【実施例】
【００２６】
実施例１の紫外線探傷灯は、ＮＩＣＨＩＡ製紫外線ＬＥＤ光源ＮＶ−ＳＵ３３３Ａを用いて８００ｍｍの距離から紫外線を照射する灯具である。本開示の実施例においては、分布が歪にならずに強度が一定となるように２００ｍｍを斜光源Ｂと垂直光源Ａの間の距離とした。灯具に斜光源Ｂと垂直光源Ａの２個の光源を用いて作成された。斜光源Ｂの光軸の軸線と垂線とが照射方向において交わっており、それらのなす角Ｙ１は、４０度とされた。斜光源Ｂは、シリンドリカルレンズ（清原光学製、型式ＢＫ−７）を備え、垂直光源Ａは配光変換レンズ（ジュラロン製）を備える等その他本開示の特徴を有していた。
比較例１の紫外線探傷灯は、ＮＩＣＨＩＡ製紫外線ＬＥＤ光源ＮＶ−ＳＵ３３３Ａを用いて８００ｍｍの距離から紫外線を照射する灯具である。本比較例においては、分布が歪にならずに強度が一定範囲となるようにした。灯具には実施例と同じく２個の光源を用いて作成された。斜光源Ｂは１個、垂直光源Ａも１個であった。斜光源Ｂの光軸の軸線と垂線とのなす角Ｙ１は、４５度とされた。斜光源Ｂは、シリンドリカルレンズ（清原光学製、型式ＢＫ−７）を備え、垂直光源Ａは配光変換レンズ（ジュラロン製）を備える等その他本開示の特徴を有していた。
比較例２の紫外線探傷灯は、ＮＩＣＨＩＡ製紫外線ＬＥＤ光源ＮＶ−ＳＵ３３３Ａを用いて８００ｍｍの距離から紫外線を照射する灯具である。比較例２においては、斜光源Ｂを備えず、垂直光源Ａのみで照射を行った。
【００２７】
この実施例及び比較例１，２の紫外線探傷灯で、以下の試験を行った。しかし本開示はこの実施例に限定されるものではない。
【００２８】
(均一配光範囲試験)紫外線放射強度の測定を行った。また、本測定には、マークテック（株）製デジタル紫外線強度計ＵＶ−２５００IIIが用いられ、これをもとに強度分布表を作成した。
【００２９】
表１は、実施例１のものである。中央の長方形の部分が被検査物の検査範囲となる。比較例１でも同様の強度分布は得られた。これに対し比較例２では、表２のように、強度が足りない部分が被検査物のコーナー部にみられた。
【００３０】
【表１】
2020106434.tif 000003
【表２】
2020106434.tif 000004
【００３１】
つまり、実施例１及び比較例１では十分な強度が得られたが、比較例２においては十分な強度が得られないことが示された。
【００３２】
（設置時のせり出し距離）
図６のように、設置した場合の、立ち位置２３に向けた、灯具のせり出し距離α及びβを計測した。実施例１においては角Ｙ１が４０度、比較例１においては角Ｙ２が４５度となっている。
【００３３】
設置時のせり出し距離の測定試験で、実施例１においては、７０センチメートルであったものが、比較例１においては９０センチメートルを超えていた。８０センチメートルを超えるものを×として評価する。
【００３４】
【表３】
2020106434.tif 000005
【産業上の利用可能性】
【００３５】
本開示の紫外線探傷灯は、磁粉を用いて探傷を行う磁粉探傷装置及び磁粉探傷方法、又は浸透探傷試験において、浸透液を用いた浸透探傷試験に好適に利用することができる。特に被検査物がビレットでありコーナー部を有している場合に好適に用いることができる。
【符号の説明】
【００３６】
１  紫外線探傷灯
２  灯具
１１  垂直光源収納ユニット
１２  斜光源収納ユニット
２１  被検査物
２２  検査台
２３  立ち位置（例）
３３  平面部（被検査物）
３４  コーナー部（被検査物）
Ａ  垂直光源
Ｂ  斜光源
Ｚ１  斜光源軸線
Ｚ２  垂直光源軸線      
【図１】
2020106434.tif 000006
【図２】
2020106434.tif 000007
【図３】
2020106434.tif 000008
【図４】
2020106434.tif 000009
【図５】
2020106434.tif 000010
【図６】
2020106434.tif 000011
【図７】
2020106434.tif 000012
【図８】
2020106434.tif 000013
【図９】
2020106434.tif 000014